(57)【特許請求の範囲】
【請求項１】
調理室及び部品室を形成する本体キャビネットと、前記本体キャビネットの外観を覆う外部ケーシングと、前記本体キャビネットと前記外部ケーシングとの間に設けられるグリル部材とを備えて設置面に懸垂結合される壁掛け型の電子レンジにおいて、
一端が前記本体キャビネットに結合され、他端は前記外部ケーシングの板面と共に前記設置面に結合される少なくとも一つの補鋼ブラケットと、
前記補鋼ブラケット及び前記外部ケーシングを前記設置面に締結する複数の締結部材とを含んでなり、
前記補鋼ブラケットは、本体キャビネット前方に設けられ、かつ前記本体キャビネットの板面に結合される第１フランジ部と、前記外部ケーシングと共に前記設置面に結合される第２フランジ部と、前記第１及び第２フランジ部を相互連結し、前記グリル部材に結合される連結部とを有し、かつ前記第２フランジ部を取り付ける締結部材は前記グリル部材が外されたときに操作しうる位置に取り付けられており、
前記電子レンジの後方壁に設けられてその下端部に少なくとも一つの係止部を有する補鋼板をさらに備え、前記本体キャビネットは前記補鋼板の係止部と結合される収容溝の形成された底面板を有することを特徴とする壁掛け型の電子レンジ。
【請求項２】
前記補鋼ブラケットは前記グリル部材に隣接配置されることを特徴とする請求項１に記載の壁掛け型の電子レンジ。
【請求項３】
前記締結部材はネジであることを特徴とする請求項１に記載の壁掛け型の電子レンジ。
【発明の詳細な説明】
【０００１】
【発明の属する技術分野】
本発明は電子レンジに係り、より詳細には、設置面に懸垂結合される壁掛け型の電子レンジに関する。
【０００２】
【従来の技術】
一般に、電子レンジはマグネトロンから発生するマイクロ波により食べ物を調理する家電機器であって、主に流し台の上面又は装飾だんすの収容空間内に設けられる。しかしながら、所謂壁掛け型の電子レンジ（ＯＴＲ：ｏｖｅｒ  ｔｈｅ  ｒａｎｇｅ）は使用者の便宜又は台所の室内空間及びインテリアなどを鑑みて食器を収容する棚の下面に取り付けられる。
【０００３】
このように棚の下面に取り付けられる電子レンジは、調理室と部品室を形成する本体キャビネットと、その本体キャビネットの外観を覆う逆‘Ｕ’字形状の外部ケーシングとを有する。また、外部ケーシングの上板面には棚の下面に形成された多数の貫通孔とのボルト結合のための多数のボルト孔が形成されている。
【０００４】
電子レンジを棚の下面に設けるためには、先ず、電子レンジを持ち上げて外部ケーシングに形成された各ボルト孔と棚の底面板に形成された各貫通孔とを相互一致させる。その後、棚のドアを開放して棚内から棚の下面に形成された各貫通孔にボルトを挿入した後、外部ケーシングの上板面に形成されたボルト孔を締結することにより、電子レンジを結合させうる。
【０００５】
しかしながら、従来の電子レンジにおいては、電子レンジの設置のために棚が必要なので、棚のない場合に電子レンジを懸垂結合させるためには、上述した過程が行えず、電子レンジを容易に設けることもできない。
【０００６】
【発明が解決しようとする課題】
本発明の目的は、棚を備えていない場合でも、設置面に容易に懸垂結合させうる壁掛け型の電子レンジを提供することにある。
【０００７】
【課題を解決するための手段】
本発明は、前記課題を解決するため、調理室及び部品室を形成する本体キャビネットと、前記本体キャビネットの外観を覆う外部ケーシングと、前記本体キャビネットと前記外部ケーシングとの間に設けられるグリル部材とを備えて設置面に懸垂結合される壁掛け型の電子レンジにおいて、一端が前記本体キャビネットに結合され、他端は前記外部ケーシングの板面と共に前記設置面に結合される少なくとも一つの補鋼ブラケットと、前記補鋼ブラケット及び前記外部ケーシングを前記設置面に締結する複数の締結部材とを含むことを特徴とする壁掛け型の電子レンジを提供する。
【０００８】
ここで、前記グリル部材に隣接配置される前記補鋼ブラケットは、前記本体キャビネットの板面に結合される第１フランジ部と、前記外部ケーシングと共に前記設置面に結合される第２フランジ部と、前記第１及び第２フランジ部を相互連結し、前記グリル部材に結合される連結部とを有する。
【０００９】
前記電子レンジは、前記電子レンジの後方壁に設けられてその下端部に少なくとも一つの係止部を有する補鋼板をさらに備え、前記本体キャビネットは前記補鋼板の係止部と結合される収容溝の形成された底面板を有することが好ましい。
また、前記締結部材はネジであることが好ましい。
【００１０】
【発明の実施の形態】
以下、添付した図面を参照して本発明の実施形態を詳しく説明する。
図１は本発明による壁掛け型の電子レンジの設置状態を示した図である。同図に示したように、台所には食べ物をつくるガスレンジ１０及び流し台１２が備えられている。ガスレンジ１０の上側には食べ物の調理時に発生する煙及び湿気を室外に排出するための排気ダクトを備えた壁掛け型の電子レンジが備えられている。
【００１１】
一般に、流し台１２の上側には食器又は台所用品を収容するための収容空間の形成された棚１３が備えられている。しかしながら、本実施形態では、電子レンジの上側に棚１３を備えず、設置面１４（以下、‘棚プレート１４’という）のみを備えていると仮定する。また、棚プレート１４に対して垂直方向の電子レンジの後方には、図２に示したように、壁面に固定される板状の補鋼板１６が備えられている。この際、補鋼板１６は金属材質で形成されることが好ましい。補鋼板１６の下端の両側には一対の係止部１７が形成されて電子レンジの後方の下面を保持させる。
【００１２】
図２及び図３に示したように、本発明による壁掛け型の電子レンジは、調理室２０及び部品室２６を形成する本体キャビネット３２と、本体キャビネット３２を取り囲んで外観を形成する逆‘Ｕ’字形状の外部ケーシング３４とを有する。
【００１３】
調理室２０内には食べ物の安着のためのトレー２１が備えられており、調理室２０の前面には調理室２０を開閉するドア２２が設けられている。部品室２６内にはマイクロ波を発生させるマグネトロン２７と、電子レンジの作動のための多数の部品（図示せず）とが備えられている。部品室２６の前方には調理動作のための多数の操作ボタン３０を有する操作パネル２８が設けられている。
【００１４】
本体キャビネット３２は前面板３７、背面板３９及び底面板４０を備え、本体キャビネット３２と外部ケーシング３４との間には空気の流動のための空気流動路が形成されている。空気流動路内には、室内空気を本体キャビネット３２と外部ケーシング３４との間に吸入する吸入モータ４１と、吸入空気を本体キャビネット３２の外側に案内する案内ダクト４３とが備えられている。
【００１５】
前面板３７と外部ケーシング３４との間には調理中の食べ物から発生する湿気及び匂いを排出させるためのグリル部材３８が設けられている。図４に示したように、底面板４０の後方には補鋼板１６の係止部１７が保持される一対の収容溝４２が形成されている。また、底面板４０には、図１に示したように、ガスレンジ１０で調理された食べ物から発生する湿気及び煙が電子レンジ内に流入されるように複数の流入口４４が形成されている。
【００１６】
これにより、吸入モータ４１が作動すると、吸入モータ４１の吸入力により調理物から発生する湿気及び煙は底面板４０に形成された流入口４４を通して本体キャビネット３２と外部ケーシング３４との間の空気流動路に流入された後、各案内ダクト４３により案内されてグリル部材３８を通して外部に排出される。
【００１７】
一方、図３及び図４に示したように、本体キャビネット３２と外部ケーシング３４との間には、グリル部材３８に隣接して一対の補鋼ブラケット４６が備えられている。補鋼ブラケット４６は、前面板３７の上端に配置される第１フランジ部４７と、外部ケーシング３４の上板面に結合される第２フランジ部４９と、第１及び第２フランジ部４７，４９を相互連結し、グリル部材３８に結合される連結部５０とを有する。この際、第１及び第２フランジ部４７，４９と連結部５０はステンレススチール又はエンジニアリングプラスチックのような材料を用いて一体に形成することもできる。
【００１８】
第１フランジ部４７と連結部５０の板面にはそれぞれ前面板３７及びグリル部材３８とのねじ５５結合のための所定の締結孔５１，５３が形成されている。かつ、接面する第２フランジ部４９と外部ケーシング３４の上板面には相互連通する連通孔３６，５２がそれぞれ形成されている。
【００１９】
第２フランジ部４９の連通孔５２にはネジ５４が挿入されて外部ケーシング３４の連通孔３６を通して棚プレート１４に締結される。
【００２０】
ここで、棚プレート１４は主に木材及び合成プラスチックなどの射出物で成形することができる。ネジ５４を用いて第２フランジ部４９の連通孔５２及び外部ケーシング３４の連通孔３６を通して棚プレート１４に締結する場合、棚プレート１４に別途のねじ孔を形成させる必要はない。しかしながら、棚プレート１４が金属材質からなる場合は別途のねじ孔を形成する必要がある。その場合、外部ケーシング３４の上板面に紙を当てて連通孔３６の位置をマーキングした後、その紙を棚プレート１４の板面に当ててマーキング部位をドリル作業することにより、簡単にねじ孔を形成することができる。
【００２１】
以下、図４を参照して壁掛け型の電子レンジを棚プレート１４に懸垂結合させる作業を説明する。
先ず、電子レンジの組立て状態でグリル部材３８を本体キャビネット３２から分離させた後、第１フランジ部４７に形成された締結孔５１にねじ５５を挿入して補鋼ブラケット４６を前面板３７に締結する。その後、電子レンジを持ち上げて電子レンジの底面板４０に形成された収容溝４２に補鋼板１６の係止部１７が保持されるようにする。
【００２２】
このように電子レンジを補鋼板１６に結合させた後、ネジ５４を第２フランジ部４９の連通孔５２に挿入して外部ケーシング３４の連通孔３６を通して補鋼ブラケット４６を棚プレート１４に締結した後、グリル部材３８を補鋼ブラケット４６に設けることにより、電子レンジの設置過程が完了する。
【００２３】
上述したように、本発明による電子レンジにおいては、一端が本体キャビネット３２に結合され、他端は外部ケーシング３４の板面と接触配置される少なくとも一つの補鋼ブラケット４６と、補鋼ブラケット４６及び外部ケーシング３４を棚プレート１４に締結する複数の締結部材とを備えることにより、所定の収容空間を有する棚の未具備時でも電子レンジを棚プレート１４に容易に懸垂結合させることが可能である。
【００２４】
実施形態では締結部材としてネジ５４を用いたが、リベットや釘などを用いることもできる。
【００２５】
また、前面板の結合強度が比較的高く、設置作業も容易に行えるため、補鋼ブラケットをグリル部材に隣接配置したが、補鋼ブラケットの位置を他の場所へ変更することもできる。
【００２６】
【発明の効果】
上述したように、本発明によれば、棚の未具備時でも設置面に容易に懸垂結合させるようにした壁掛け型の電子レンジを提供することができる。
【図面の簡単な説明】
【図１】本発明による壁掛け型の電子レンジの設置状態図である。
【図２】本発明による壁掛け型の電子レンジの分解斜視図である。
【図３】図２の要部拡大図である。
【図４】本発明による壁掛け型の電子レンジが設置面に結合された状態を示した断面図である。
【符号の説明】
１０  ガスレンジ
１４  棚プレート
３２  本体キャビネット
３４  外部ケーシング
４６  補鋼ブラケット
５４  ネジ
【図１】
0003623459.tif 000002
【図２】
0003623459.tif 000003
【図３】
0003623459.tif 000004
【図４】
0003623459.tif 000005